(57)【特許請求の範囲】
【請求項１】
錠本体のフロント板から突出させたスライダの先端部を、引戸の閉鎖とともにストライク板に当接することで錠本体内に後退させ、該スライダの後退に連動させて前記フロント板から突出させたカマ鉤を、前記ストライク板のカマ進入穴に係合させる引戸用施解錠装置において、
前記スライダに形成された階段状の係止段部と、
前記錠本体に揺動自在に設けられ前記スライダの後退に伴って前記係止段部に段階的に係止して該スライダの前進を阻止するロック板と、
前記カマ鉤に形成され前記錠本体の側板に固定された固定ピンに係合して前記カマ鉤を回動かつ直線移動可能に支持する長穴と、
前記カマ鉤に設けられ前記スライダに係合して前記スライダの進退に応じて該カマ鉤を従動させる連動ピンと、
連続する曲部と直線部とを有して前記錠本体の側板に形成され、前記連動ピンを摺動自在に係合することで前記スライダに従動する前記カマ鉤を回転させて前記フロント板から突出させた後に直線移動させて前記錠本体内に引き込むように移動規制する本体案内孔と、
を具備し
前記スライダの後退に従動して前記カマ鉤が、前記固定ピンを中心に前記連動ピンが前記曲部に沿って回転することで前記フロント板から突出し、前記ストライク板の進入穴に係合した後に、前記固定ピンに対して前記長穴が沿い、且つ前記直線部に沿う前記連動ピンにて前記カマ鉤を直線移動させ、前記スライダとともに、突出して係合状態となっている前記カマ鉤を前記錠本体内に引き込むことを特徴とする引戸用施解錠装置。
【請求項２】
前記ストライク板に、前記カマ鉤の係合するカマ係合金具が該ストライク板表面よりも突出して設けられ、
前記スライダが該カマ係合金具に当接して該カマ係合金具とともに前記錠本体に押し込まれることを特徴とする請求項１記載の引戸用施解錠装置。
【発明の詳細な説明】
【０００１】
【発明の属する技術分野】
本発明は、引戸を閉めると自動的にカマ鉤が出て施錠状態となる引戸用施解錠装置に関し、さらに詳しくは、ストライク板とカマ鉤との引戸開閉方向のガタツキをなくす改良技術に関する。
【０００２】
【従来の技術】
例えば引戸用施解錠装置には、引戸を閉めることにより、引戸に設けられた錠本体からカマ鉤を自動的に突出させ、このカマ鉤を引戸の縦框が当接する縦枠に設けた引戸用ストライク板に係合させることで、引戸を開放不能に施錠するものがある。
【０００３】
この種の引戸用施解錠装置は、錠本体の内部にスライド自在なスライダを設け、このスライダの先端部を錠本体のフロント板から突出させてある。錠本体にはこのスライダの後退に従動して回動され、フロント板から突出されるカマ鉤が揺動自在に設けられている。
【０００４】
従って、引戸が閉められ、錠本体のフロント板から突出されたスライダの先端部がストライク板に当接すると、スライダが錠本体の内部へ後退する方向にスライドされ、これに従動して錠本体のフロント板からカマ鉤が回動されて突出されることになる。引戸用施解錠装置は、このカマ鉤を、ストライク板のカマ進入穴に係合することで、引戸を開放不能に仮締めすることができた。
【０００５】
【発明が解決しようとする課題】
しかしながら、上記した従来の引戸用施解錠装置は、引戸を閉めることにより、錠本体のフロント板から突出させたスライダを後退させ、このスライダの後退に連動させてカマ鉤を回動させるのみでストライク板に係合させていたため、フロント板から突出されるカマ鉤と、ストライク板との相対位置を正確に合わせる必要があった。
【０００６】
すなわち、フロント板からのカマ鉤の突出長がストライク板までの距離より小さい場合には、ストライク板へのカマ鉤の係合が不能になる。逆に、フロント板からのカマ鉤の突出長がストライク板までの距離より大きい場合には、カマ鉤とストライク板との係合は可能になるものの、ストライク板とカマ鉤との間にガタツキ、換言すれば、縦枠と引戸との間に隙間、所謂チリ寸法が大きく生じた。
【０００７】
また、錠本体から突出させたままのカマ鉤を、ストライク板に係合させる従来構造では、縦枠と引戸との間に隙間が生じている場合、この隙間からストライク板とカマ鉤との係合部が視認可能となり、防犯性能を低下させるおそれがあった。
【０００８】
本発明は上記状況に鑑みてなされたもので、ストライク板とカマ鉤とをガタツキなく係合させることができ、しかも、縦枠と引戸との間に隙間（チリ）を小さくしストライク板とカマ鉤との係合部が略隠蔽可能になる引戸用施解錠装置を提供することを目的とする。
【０００９】
【課題を解決するための手段】
次に、上記の課題を解決するための手段を、実施の形態に対応する図面を参照して説明する。
この発明の請求項１記載の引戸用施解錠装置１は、錠本体Ｂのフロント板３１から突出させたスライダ３７の先端部４７を、引戸５の閉鎖とともにストライク板Ａに当接することで錠本体内に後退させ、該スライダ３７の後退に連動させて前記フロント板３１から突出させたカマ鉤１５を、前記ストライク板Ａのカマ進入穴２５に係合させる引戸用施解錠装置１において、
前記スライダ３７に形成された階段状の係止段部５１と、
前記錠本体Ｂに揺動自在に設けられ前記スライダ３７の後退に伴って前記係止段部５１に段階的に係止して該スライダ３７の前進を阻止するロック板５５と、
前記カマ鉤１５に形成され前記錠本体Ｂの側板３９に固定された固定ピン７１に係合して前記カマ鉤１５を回動かつ直線移動可能に支持する長穴６９と、
前記カマ鉤１５に設けられ前記スライダ３７に係合して前記スライダ３７の進退に応じて該カマ鉤１５を従動させる連動ピン７３と、
連続する曲部７５ａと直線部７５ｂとを有して前記錠本体Ｂの側板３９に形成され、前記連動ピン７３を摺動自在に係合することで前記スライダ３７に従動する前記カマ鉤１５を回転させて前記フロント板３１から突出させた後に直線移動させて前記錠本体Ｂ内に引き込むように移動規制する本体案内孔７５と、
を具備し、
前記スライダ３７の後退に従動して前記カマ鉤１５が、前記固定ピン７１を中心に前記連動ピン７３が前記曲部７５ａに沿って回転することで前記フロント板３１から突出し、前記ストライク板Ａの進入穴２５に係合した後に、前記固定ピン７１に対して前記長穴６９が沿い、且つ前記直線部７５ｂに沿う前記連動ピン７３にて前記カマ鉤１５を直線移動させ、前記スライダ３７とともに、突出して係合状態となっている前記カマ鉤１５を前記錠本体Ｂ内に引き込むことを特徴とする。
【００１０】
この引戸用施解錠装置１では、スライダ３７が後退されると、スライダ３７の係止段部５１にロック板５５が段階的に係止され、スライダ３７の前進が阻止されて行く。つまり、後退されればされる程スライダ３７が深い後退位置でロックされる。
一方、カマ鉤１５は、長穴６９を介して固定ピン７１に係合され、回動かつ直線移動可能に支持される。このカマ鉤１５は、連動ピン７３を介してスライダ３７の進退に従動されるようになっている。
そして、この連動ピン７３は、曲部７５ａと直線部７５ｂとからなる本体案内孔７５に係合され、スライダ３７の後退に伴って曲部７５ａから直線部７５ｂへと移動される。
従って、スライダ３７が後退されると、先ず、連動ピン７３が曲部７５ａを移動することで、カマ鉤１５が回転されてストライク板Ａに係合され、その後、さらにスライダ３７が後退されると、連動ピン７３が直線部７５Ｂを移動して、カマ鉤１５が錠本体内に引き込まれるように直線移動される。この際、スライダ３７は、上記ロック板５５によって前進が段階的に阻止されて行く。これにより、ストライク板Ａに係合した状態のカマ鉤１５が錠本体Ｂ内に段階的に引き寄せ可能になる。
【００１１】
請求項２記載の引戸用施解錠装置１は、前記ストライク板Ａに、前記カマ鉤１５の係合するカマ係合金具９が該ストライク板Ａよりも突出して設けられ、
前記スライダ３７が該カマ係合金具９に当接して該カマ係合金具９とともに前記錠本体Ｂに押し込まれることを特徴とする。
【００１２】
この引戸用施解錠装置１では、カマ係合金具９がストライク板Ａから突出され、引戸５が閉められると、カマ係合金具９がスライダ３７に当接し、さらに引戸５が閉められると、スライダ３７がカマ係合金具９に押圧されて、カマ係合金具９とともに錠本体Ｂに押し込まれる。従って、カマ鉤１５とカマ係合金具９とが錠本体Ｂに進入することになり、縦枠と引戸との間に隙間（チリ）が小さくなって、カマ係合金具９とカマ鉤１５との係合部が錠本体Ｂ内で隠蔽され、防犯性が高められることになる。
【００１３】
【発明の実施の形態】
以下、本発明に係る引戸用施解錠装置の好適な実施の形態を図面を参照して詳細に説明する。
図１は本発明に係る引戸用施解錠装置の外観斜視図、図２は図１に示した引戸用施解錠装置の内部側面図、図３は図１に示した引戸用施解錠装置の施錠状態の内部側面図、図４はカマ鉤が引き寄せられた引戸用施解錠装置の内部側面図である。
【００１４】
本実施の形態による引戸用施解錠装置１は、縦枠３に設けられる引戸用ストライク板Ａと、引戸５に内設される錠本体Ｂとに大別して構成される。
【００１５】
ストライク板Ａは、トロヨケ７と、カマ係合金具９と、化粧板１１とから構成される。ストライク板Ａは、引戸５の縦框１３が当接する縦枠３に取り付けられ、引戸５に内蔵された錠本体Ｂから突出するカマ鉤１５にカマ係合金具９が係合される。
【００１６】
トロヨケ７は、一側面の開口した箱状の凹部１７を有している。凹部１７の上下の開口縁部には鍔部１９が延出形成され、鍔部１９にはネジ穴が形成されている。トロヨケ７は、凹部１７が縦枠３に凹設され、鍔部１９が縦枠３の戸当たり面に平行になるように取り付けられる。また、凹部１７の対向する一対の側壁にはネジ挿通穴が穿設され、このネジ挿通穴にはカマ係合金具９を固定するための金具固定ネジ２１が挿通される。
【００１７】
カマ係合金具９は、長板を平行に対面させた一対の脚部２２を有している。脚部２２は、長手方向の寸法が、凹部１７の上下方向の内寸と略同一長に形成される。
また、脚部２２は、下端部が凹部１７の幅方向の内寸と略同等に形成される一方、上端部がそれより狭い幅で形成されている。脚部２２の板幅は、凹部１７の深さ方向の内寸と略同等に形成される。
【００１８】
脚部２２の上端部には略Ｕ字状に屈曲された掛合部２３が架橋される。つまり、一対の脚部２２は、この掛合部２３によって一体に連結されている。従って、カマ係合金具９は、脚部２２が凹部１７に収容された状態で、掛合部２３のみが凹部１７から突出するようになっている。
【００１９】
それぞれの脚部２２の下端部にはネジ穴が形成されている。このネジ穴には凹部１７に挿通された金具固定ネジ２１が螺合される。従って、トロヨケ７とカマ係合金具９とは、この金具固定ネジ２１によって一体固定される。
【００２０】
化粧板１１には、カマ係合金具９の掛合部２３を貫通させかつ引戸５の縦框１３から突出されるカマ鉤１５を凹部１７へ進入させるためのカマ進入穴２５が形成されている。
カマ進入穴２５は、略上半部が、カマ係合金具９の掛合部２３の幅と略同一に形成され、略下半部が、カマ鉤１５の厚みと略同一に形成されている。つまり、カマ鉤１５は、このカマ進入穴２５の下半部から先端が凹部１７内に進入した後、掛合部２３の背面に係合するようになっている。
【００２１】
カマ進入穴２５の下半部の対向する一対の縁部には、凹部１７内の方向に向けて折り曲げられた折曲部２７がそれぞれ形成されている。この折曲部２７は、凹部１７に収容された脚部２２間に突出され、凹部１７の内壁とで脚部２２をそれぞれ挟むように配置される。
【００２２】
化粧板１１には上下一対の取付穴が穿設されている。化粧板１１は、この取付穴に挿通された化粧板固定ネジ２９をトロヨケ７及び縦枠３に挿着し螺合させることで、縦枠３に略面一に固定される。カマ係合金具９は、上記の金具固定ネジ２１と化粧板１１とで、トロヨケ７の凹部１７からの脱落が二重に阻止されている。なお、図２に示すように、縦枠３に取り付けられた状態で、カマ係合金具９の掛合部２３が化粧板１１の表面よりも突出する。
【００２３】
一方、錠本体Ｂは、引戸５の端部に内設される。錠本体Ｂにはフロント板３１が取り付けられ、フロント板３１は縦框１３と面一となるようにフロント板固定ネジ３３によって取り付けられている。このフロント板３１にはカマ鉤１５及び後述のトリガー部４７を突出させるための開口部３５が穿設されている。
【００２４】
錠本体Ｂの内部には、スライダ３７が、引戸５の開閉方向と同方向にスライド自在に設けられている。スライダ３７は、錠本体Ｂの側板３９に形成された第一ガイド穴４１、第二ガイド穴４３、第三ガイド穴４５によってスライド自在に側板３９に支持される。
【００２５】
スライダ３７の先端部は、トリガー部４７となり、上記したフロント板３１の開口部３５から突出可能となっている。スライダ３７と錠本体Ｂの後壁との間にはスライダ付勢バネ４９が設けられ、スライダ付勢バネ４９はトリガー部４７を突出させる方向にスライダ３７を付勢している。
【００２６】
このスライダ３７の上縁には、スライダ３７の先端方向に向かって下り傾斜となる階段状の係止段部５１が形成されている。本実施の形態における係止段部５１は、四つの段部５１ａ，５１ｂ，５１ｃ，５１ｄからなる。
【００２７】
錠本体Ｂの内部には側板３９に固定された軸５３を中心に回動自在となったロック板５５が設けられている。ロック板５５の回動先端には係止爪５７と、解除爪５９が形成されている。ロック板５５は、ロック板付勢バネ６１によって係止爪５７がスライダ３７の上縁５１ｅに当接する方向に付勢されている。
【００２８】
従って、ロック板５５は、スライダ３７が、錠本体Ｂの内部に後退する方向に移動されることで、係止爪５７が係止段部５１に段階的に係止するようになっている。つまり、スライダ３７は、スライダ付勢バネ４９の付勢力に抗して錠本体Ｂ内に押し込められることで、ロック板５５の係止爪５７が下方の段部５１ａ，５１ｂ，５１ｃ，５１ｄへと順次に係止して行き、前進方向の復帰が阻止されるようになっている。
【００２９】
錠本体Ｂの内部には操作スライダ６３が上下方向にスライド自在に設けられ、操作スライダ６３は上下に長い係合穴６５をロック板５５の解除爪５９に係合させている。操作スライダ６３は、側板３９に形成された上下方向に長い第四ガイド穴６７によって上下方向に移動自在に支持される。
【００３０】
この操作スライダ６３は、引戸５の表面に表出される図示しない操作部、例えばスライドレバーや揺動レバー等に連動連結され、この操作部を操作することにより、上下方向に摺動されるようになっている。また、操作スライダ６３は、位置保持バネ６８によって上端または下端の一方に付勢されるようになっており、すなわち、操作スライダ６３が解錠位置となる上端位置、及び施錠位置となる下端位置にて停止できるようになっている。
【００３１】
従って、操作スライダ６３が上端位置にあるときは、ロック板５５が上方位置となって係止爪５７と係止段部５１とが係合しない状態を保ち、また、操作スライダ６３が下端位置にあるとき、係止段部５１に係止爪５７を係止したロック板５５は、操作スライダ６３が上方へ摺動操作されることにより、係止爪５７が係止段部５１から上方に外され、スライダ３７との係止が解除されるようになっている。ロック板５５による係止が解除されたスライダ３７は、スライダ付勢バネ４９の付勢力によって再びフロント板３１から突出されることになる。
【００３２】
錠本体Ｂの内部には、スライダ３７の下方に、上記したカマ鉤１５が設けられている。カマ鉤１５には長穴６９が穿設され、カマ鉤１５はこの長穴６９に、側板３９に固定された固定ピン７１が挿通されることで、回動かつ直線移動可能に側板３９に支持されている。
【００３３】
カマ鉤１５には連動ピン７３が設けられている。この連動ピン７３は、スライダ３７の下縁に形成された連動凹部３７ａに係合されている。カマ鉤１５は、連動ピン７３を連動凹部３７ａに係合させることで、スライダ３７の進退に従動するようになっている。
【００３４】
錠本体Ｂの側板３９には、略円弧状の曲部７５ａと直線部７５ｂとが連続して形成される本体案内孔７５が形成されている。この本体案内孔７５には上記した連動ピン７３が係合されている。すなわち、連動ピン７３は、スライダ３７の進退によってカマ鉤１５を従動させるとともに、この本体案内孔７５に沿って移動される。
【００３５】
カマ鉤１５は、連動ピン７３が、曲部７５ａを移動する際、固定ピン７１を中心に図中時計回り方向に約９０°回動され、先端爪１５ａがフロント板３１から突出される。また、カマ鉤１５は、連動ピン７３が直線部７５ｂを移動する際、固定ピン７１に対して長穴６９の長手方向に移動され、錠本体Ｂの内部に引き込まれるように移動される。
【００３６】
次に、このように構成される引戸用施解錠装置１の作用を説明する。
図５は未施錠状態の錠本体の内部側面図、図６はカマ鉤回動途中における錠本体の内部側面図、図７はカマ鉤係合完了状態の錠本体の内部側面図、図８はカマ鉤が引き寄せられた状態の錠本体の内部側面図である。
【００３７】
図５に示すように、引戸５の未閉鎖時には、スライダ付勢バネ４９の付勢力によって、スライダ３７が図中左側に付勢され、フロント板３１からトリガー部４７が突出された状態となる。
一方、図１に示すように、ストライク板Ａからは、トリガー部４７に対応する位置で、カマ係合金具９の掛合部２３が突出されている。
【００３８】
この状態で、カマ鉤１５は、連動ピン７３が曲部７５ａの図中左端に位置しており、錠本体Ｂの内部に収容状態となる。
【００３９】
引戸５が閉鎖方向へ移動されると、トリガー部４７がカマ係合金具９の掛合部２３に当接する。
【００４０】
さらに引戸５が閉鎖方向へ移動されると、トリガー部４７が掛合部２３に押圧され、図６に示すように、スライダ３７がスライダ付勢バネ４９に抗して錠本体Ｂの内側に後退される。
【００４１】
スライダ３７が後退されると、スライダ３７の連動凹部３７ａに係合されたカマ鉤１５の連動ピン７３が曲部７５ａに沿って移動され、カマ鉤１５が固定ピン７１を中心に図中時計回り方向に回動される。
スライダ３７がさらに後退され、図７に示すように、連動ピン７３が曲部７５ａの右端に到達すると、カマ鉤１５が水平状態となる。
【００４２】
これにより、図３に示すように、カマ鉤１５は、先端爪１５ａを掛合部２３の背面に係合させた状態となる。
【００４３】
この状態で、操作スライダ６３を下方にスライド移動させる操作を行うと、ロック板５５が、ロック板付勢バネ６１の付勢力により、図中時計回り方向に回動され、係止爪５７が段部５１（段部５１ａ）に係止される。これによって、スライダ３７は、前進方向の移動が阻止される。
【００４４】
また、スライダ３７に、連動ピン７３を介して従動するカマ鉤１５も、図中反時計回り方向への回動が阻止されることになる。すなわち、引戸５は、カマ鉤１５を介してストライク板Ａに施錠されることになる。
【００４５】
図８に示すように、この状態から、さらに引戸５が閉鎖方向へ移動可能であり、この移動によって、スライダ３７がカマ係合金具９の掛合部２３によってさらに錠本体Ｂの内部へ押し込まれることになる。すると、スライダ３７の係止段部５１が右方へ移動するため、ロック板５５は、係止爪５７を順次下方の段部５１ｂ，５１ｃ，５１ｄへと係止して行く。
【００４６】
このスライダ３７の右方への移動に伴って、カマ鉤１５は、連動ピン７３が本体案内孔７５の直線部７５ｂに沿って移動されるとともに、固定ピン７１に対して長穴６９の長手方向へ水平移動され、図４に示すように、錠本体Ｂの内部へと引き込まれることになる。
【００４７】
一方、カマ係合金具９とカマ鉤１５との係合を解除するには、操作スライダ６３を上方へと移動させる。操作スライダ６３が上方へ移動されると、係合穴６５に係合された解除爪５９を介してロック板５５が図中反時計回りに回動され、これにより係止爪５７が係止段部５１から外されることになる。従って、スライダ３７は、スライダ付勢バネ４９の付勢力により、トリガー部４７を突出させる方向に移動される。
【００４８】
同時に、連動凹部３７ａに係合した連動ピン７３が、曲部７５ａの左方に移動され、カマ鉤１５が反時計回りに回動され、カマ係合金具９との係合が解除されて、図５に示すように、錠本体Ｂの内部に再び収容される。これにより、ストライク板Ａと錠本体Ｂとの施錠が解除され、引戸５が再び開放可能となる。
【００４９】
このように、上記の引戸用施解錠装置１によれば、スライダ３７が後退されると、スライダ３７の係止段部５１にロック板５５が段階的に係止され、スライダ３７の前進が阻止されて行く。つまり、後退されればされる程スライダ３７が深い後退位置でのロック状態となる。一方、カマ鉤１５は、長穴６９を介して固定ピン７１に支持されるとともに、連動ピン７３を介してスライダ３７の進退に従動されるようになっている。また、連動ピン７３は、本体案内孔７５の曲部７５ａと直線部７５ｂとに沿って移動されるようになっている。従って、連動ピン７３が曲部７５ａを移動することで、カマ鉤１５が回転されてストライク板Ａに係合され、その後、さらにスライダ３７が後退されると、連動ピン７３が直線部７５ｂを移動して、カマ鉤１５が錠本体内に引き込まれるように直線移動される。この際、スライダ３７は、上記ロック板５５によって前進が阻止されて行く。
【００５０】
これにより、ストライク板Ａに係合したカマ鉤１５を、錠本体内に引き寄せることができ、ストライク板Ａとカマ鉤１５とのガタツキをなくすことができ、そして、縦枠３と引戸５との間の隙間（チリ）を小さくすることが可能となる。すなわち、縦枠３と引戸５の縦框１３との間隔を予めに設定するための微調整作業を不要とすることができ、このような調整作業をすることなく、引戸５を閉鎖操作するのみでチリを小さくすることが可能となる。
【００５１】
また、カマ係合金具９の掛合部２３がストライク板Ａ表面から突出され、引戸５が閉められると、カマ係合金具９がスライダ３７に当接し、さらに引戸５が閉められると、スライダ３７がカマ係合金具９に押圧されて、カマ係合金具９とともに錠本体Ｂに押し込まれるので、カマ係合金具９とカマ鉤１５との係合部が錠本体Ｂの内部で隠蔽されることとなり、防犯性を高めることができる。
【００５２】
【発明の効果】
以上詳細に説明したように、本発明に係る引戸用施解錠装置によれば、スライダの係止段部にロック板を段階的に係止し、カマ鉤の長穴を固定ピンに係合してカマ鉤を回動かつ直線移動可能に支持し、スライダに従動させるカマ鉤の連動ピンを曲部と直線部とからなる本体案内孔に係合したので、スライダに従動させてカマ鉤をストライク板に係合させた後、さらに引戸を閉める方向に移動させることで、スライダの後退に従動させてカマ鉤を錠本体内に引き込むように直線移動させることができる。この結果、ストライク板に係合した状態のカマ鉤を錠本体内に引き寄せるができ、ストライク板とカマ鉤とのガタツキをなくすことができ、そして、縦枠と引戸との間の隙間（チリ）を小さくすることが可能となる。
【００５３】
また、カマ係合金具がストライク板表面から突出される構成とすることで、引戸が閉められると、カマ係合金具がスライダに当接し、さらに引戸が閉められると、スライダがカマ係合金具に押圧されて、カマ係合金具とともに錠本体に押し込まれるので、カマ係合金具とカマ鉤との係合部が錠本体の内部で隠蔽されることとなり、防犯性を高めることができる。
【図面の簡単な説明】
【図１】本発明に係る引戸用施解錠装置の外観斜視図である。
【図２】図１に示した引戸用施解錠装置の内部側面図である。
【図３】図１に示した引戸用施解錠装置の施錠状態の内部側面図である。
【図４】カマ鉤が引き寄せられた引戸用施解錠装置の内部側面図である。
【図５】未施錠状態の錠本体の内部側面図である。
【図６】カマ鉤回動途中における錠本体の内部側面図である。
【図７】カマ鉤係合完了状態の錠本体の内部側面図である。
【図８】カマ鉤が引き寄せられた状態の錠本体の内部側面図である。
【符号の説明】
１…引戸用施解錠装置
５…引戸
９…カマ係合金具
１５…カマ鉤
１５ａ…先端爪
２５…カマ進入穴
３１…フロント板
３７…スライダ
３９…側板
４７…先端部（トリガー部）
５１…係止段部
５５…ロック板
６９…長穴
７１…固定ピン
７３…連動ピン
７５…本体案内孔
７５ａ…曲部
７５ｂ…直線部
Ａ…ストライク板
Ｂ…錠本体
【図１】
0004260374.tif 000002
【図２】
0004260374.tif 000003
【図３】
0004260374.tif 000004
【図４】
0004260374.tif 000005
【図５】
0004260374.tif 000006
【図６】
0004260374.tif 000007
【図７】
0004260374.tif 000008
【図８】
0004260374.tif 000009